(57)【要約】  機械配置は、機械ライン（１０２）を構成する方法で互いに協力するように配置された複数の機械装置を含む。この機械ライン（１０２）は、缶が前記機械ライン（１０２）の缶供給部（１０４）から缶排出部（１４８）へ通過し、所定の形状を呈する進路に沿って移動する際に、少なくとも、前記缶の移送、保持、操作及び形成のうちの一つを行うため、前記機械装置に関連する、及び／又は前記機械装置の一部を構成する装置（１００）を含む。この装置は、第１の組の寸法を有する缶の修正に適した設定から、第２の組の寸法を有する缶に適した設定に切り替えるために必要な作業を最小限に抑える。【選択図】図２
2008520520.tif 000002
【特許請求の範囲】
【請求項１】
機械ラインを構成する方法で互いに協力するように配置された複数の機械装置と、
缶が前記機械ラインの缶供給部から缶排出部へ通過し、所定の形状を呈する進路に沿って移動する際に、少なくとも、前記缶の移送、保持、操作及び形成のうちの一つを行うため、並びに、
第１の組の寸法を有する缶の修正に適した設定から、第２の組の寸法を有する缶に適した設定に切り替えるために必要な作業を最小限に抑えるため、
前記機械装置に関連する、及び／又は前記機械装置の一部を構成する装置手段と、
を備えた機械配置。
【請求項２】
前記機械装置は、それぞれ第１及び第２タレットを備え、
前記装置手段は、
前記両タレット間距離が、ネッキング加工される缶の長さに対して調整可能となるように、前記第１及び第２タレットの一方を他方に対して移動させる手段を備えた
請求項１に記載の機械配置。
【請求項３】
前記移動手段は、前記第１及び第２タレットの一方を他方に対して位置変更するために、選択的に操作可能である位置調整駆動装置を備えた請求項２に記載の機械配置。
【請求項４】
前記移動手段は、動かないように機械シャーシに固定されたテーブルを更に備え、
前記テーブルは、前記駆動装置が支持部を前記テーブルに沿って移動させるように、前記駆動装置と協力し、
前記支持部は、前記支持部を前記テーブルに固定するためのロック装置を含む
請求項３に記載の機械配置。
【請求項５】
前記位置調整駆動装置は、前記第１及び第２タレットの一方に位置変更を生じさせるために、回動可能であるネジ軸を備えた請求項３に記載の機械配置。
【請求項６】
前記第１及び第２タレットの一方は、ａ）押え板及びラム装置とｂ）ネッキングダイ及びノックアウトラム装置との一方を支持し、
前記第１及び第２タレットの他方は、ａ）押え板及びラム装置とｂ）ネッキングダイ及びノックアウトラム装置との他方を支持する
請求項２に記載の機械配置。
【請求項７】
前記装置手段は、
前記第１及び第２タレットに対して所定の動作位置に缶を支持し、第１及び第２の分離セグメントを含むタレットスターホイール装置を備え、
前記第１及び第２の分離セグメントは、前記第１及び第２タレット間距離がネッキング加工される缶の長さに対して調整された際に、前記第１及び第２セグメント間距離が同時に変更されるように、前記第１及び第２タレットにそれぞれ支持された
請求項２に記載の機械配置。
【請求項８】
前記所定の動作位置は、ａ）押え板及びラム装置とｂ）ネッキングダイ及びノックアウトラム装置とに対して、一直線に並ぶ位置である請求項２に記載の機械配置。
【請求項９】
前記装置手段は、
タレット機構の適切な位置にスライド可能に配置された複数のダイと、
複数のボルトによって前記タレット機構に固定された複数のクランプと、を備え、
各クランプは、各ダイの一部に係合して前記タレット機構に前記ダイを保持する係合面を有する
請求項１に記載の機械配置。
【請求項１０】
前記複数のクランプは、前記タレット機構にそれぞれ揺動可能に支持された請求項９に記載の機械配置。
【請求項１１】
前記各クランプは、少なくとも１つのダイを前記タレット機構の適切な位置に保持する位置から、離れるように回転された開放位置に、前記クランプを保持する戻り止めを有する請求項１０に記載の機械配置。
【請求項１２】
前記各クランプは、ボルトによって前記タレット機構に固定された請求項９に記載の機械配置。
【請求項１３】
各機械装置は、
タレットスターホイール及び移送スターホイールをそれぞれ支持し、同期して反対方向に回動する平行な第１及び第２の軸を有し、
前記タレットスターホイール及び前記移送スターホイールは、それらの間を缶が通過し、所定の形状を呈する前記進路の一部に沿って前記缶が移動するように配置され、
前記装置手段は、
前記第１の軸及び前記第２の軸にそれぞれ関連する第１及び第２のタイミングプレートを備え、
各タイミングプレートは、関連する前記軸に対して位置調整が可能で、適切な位置に固定されるとともに、前記第１タイミングプレートが前記タレットスターホイールに関連し、前記第２タイミングプレートが前記移送スターホイールを前記第２の軸に接続させる構成を有するように構成された
請求項１に記載の機械配置。
【請求項１４】
前記タレットスターホイール及び前記移送スターホイールは、異なるタレットスターホイールと異なる移送スターホイールとにそれぞれ交換可能であり、前記第１及び第２タイミングプレートは、前記各軸のそれぞれ適切な位置に一旦調整及び固定されると、前記軸における前記タイミングプレートの位置的な配置によって、交換後のタレットスターホイール及び交換後の移送スターホイール間の位置関係を、交換前の前記スターホイール及び前記移送スターホイール間の位置関係と同じにさせるものである請求項１３に記載の機械配置。
【請求項１５】
各機械装置は、所定の形状を呈する進路の一部に沿って缶を移送するように構成された、交換可能なスターホイールを支持する駆動軸を有し、
前記装置手段は、前記駆動軸に関連するタイミングプレートを備え、
前記タイミングプレートは、前記駆動軸に対して位置調整が可能で、適切な位置に固定されるとともに、交換可能な第１スターホイールが交換可能な第２スターホイールに取り替えられた際に、前記第２スターホイールが、前記駆動軸に対して、取り替えられた前記第１スターホイールと同じ角回転の関係となるように、交換可能な前記第１スターホイールを前記軸に接続するように構成された
請求項１に記載の機械配置。
【請求項１６】
前記第２スターホイールは、前記第１スターホイールの缶受取凹部に対して異なる直径の缶受取凹部を有する請求項１５に記載の機械配置。
【請求項１７】
交換可能な前記各スターホイールは、第１及び第２セグメントを備えた請求項１５に記載の機械配置。
【請求項１８】
前記機械装置は、第１及び第２タレットをそれぞれ備え、
前記第１及び第２セグメントは、前記第１及び第２セグメントがそれぞれ前記第１及び第２タレットに関連するタレットスターホイール装置の分離セグメントを構成する
請求項１７に記載の機械配置。
【請求項１９】
前記第１及び第２セグメントは、単一ユニットを形成するように接続可能であり、前記単一ユニットの幅を調整するために選択される、それぞれ異なる幅を有する複数の第２セグメントが存在する請求項１７に記載の機械配置。
【請求項２０】
前記第１セグメントは、その周囲に、等間隔に配置された複数の缶受取凹部を有し、
各凹部は、真空導管の第１部分が形成され、
各第２セグメントは、前記真空導管の第２部分が形成され、
各真空導管は、前記第１及び第２セグメントが共に固定されて、前記真空導管の前記第１及び第２部分が互いに一致した際に、完全なものになる
請求項１９に記載の機械配置。
【請求項２１】
前記機械ラインの上流端及び下流端に供給装置と排出装置とを更に備え、
前記装置手段は、互いに接近及び離隔する方向にスライド可能となるように、互いに動作可能に相互に連結された第１及び第２の半体をそれぞれ含む前記供給装置及び排出装置を備えた
請求項１３に記載の機械配置。
【請求項２２】
前記供給装置及び排出装置のそれぞれの前記２つの半体は、複数の軸によって互いに移動可能に支持された請求項２１に記載の機械配置。
【請求項２３】
延設された前記軸を通すカラーが、前記２つの半体に固定され、前記供給装置及び排出装置の再設定を可能にするため、選択的に締め付け／解放されるように配置された請求項２２に記載の機械配置。
【請求項２４】
前記所定の形状は、蛇行するものである請求項１３に記載の機械配置。
【請求項２５】
前記機械装置は、少なくともその一部に、複数の機械モジュール、及び／又は共通のシャーシに取り付けられた複数の機械を備えた請求項１３に記載の機械配置。
【請求項２６】
前記第１タレットは、前記第２タレットに対して移動可能であるとともに、前記第１タレットは、
カム支持部と、
前記カム支持部に動かないように支持されたカムと、
前記カムに対して回動可能であり、共に同期して回動するように前記第１及び第２タレットを動作可能に相互に連結する駆動軸と接続された支持ブロックと、を備え、
前記装置手段は、
前記第１タレットの前記第２タレットに対する位置の変更が、選択的に操作可能である位置調整駆動装置と、
前記第１タレットが前記位置調整駆動装置によって前記第２タレットに対して移動される際に、位置を変更する間に前記カム支持部及び前記支持ブロック間の位置関係が変わらないように、位置を変更する間、前記カム支持部及び前記支持ブロックを相互に連結する軸調整具と、
を備えた請求項２に記載の機械配置。
【請求項２７】
タレット装置を含むとともに、缶をネッキング加工するためのネッキング加工機を備え、
前記タレット装置は、
固定タレットと、
軸方向へ移動可能なタレットと、を備え、
軸方向へ移動可能な前記タレットの軸上の位置は、異なる長さの缶に合わせて即時に調整可能な前記タレット装置を構成するように、前記固定タレットに対して選択的に調整可能である機械配置。
【請求項２８】
前記可動タレットは、固定ベース部にスライド可能に支持されるとともに、前記可動タレットを移動させて前記ベース部に対する位置を変更することが選択的に操作可能である位置調整駆動装置と動作可能に接続された請求項２７に記載の機械配置。
【請求項２９】
前記固定タレットは、前記ベース部に動かないように支持された請求項２７に記載の機械配置。
【請求項３０】
前記位置調整駆動装置は、フレームと前記可動タレットとに動作可能に相互に連結されたネジ軸を含む請求項２８に記載の機械配置。
【請求項３１】
前記可動タレットは、押し板／ラム装置とダイ及びノックアウトラム装置との一方を支持する支持機構を有し、
前記固定タレットは、前記押し板／ラム装置とダイ及びノックアウトラムとの他方を支持する
請求項２７に記載の機械配置。
【請求項３２】
注入ポートと、
出口ポートと、
前記注入ポート及び出口ポートを流体が流れるように相互に連結する、螺旋状に巻かれたチューブと、
を含む注油装置を更に備えた請求項２７に記載の機械配置。
【請求項３３】
前記注入ポートは、回動するように駆動されて前記タレット装置の長さを基本的に伸ばす、軸方向に固定された軸に形成され、
前記押し板／ラム装置とダイ及びノックアウトラム装置との一方が支持された前記支持機構は、共に同期して回動するように、前記軸にスプライン結合され、
前記出口ポートは、前記押し板／ラム装置とダイ及びノックアウトラム装置との一方に潤滑油を供給するため、前記支持機構に関連し、
螺旋状に巻かれた前記チューブは、前記軸の周囲に配置された
請求項３２に記載の機械配置。
【請求項３４】
前記軸は、潤滑油が前記注入ポートに供給される際に通る同軸の孔を有し、
前記注入ポートは、前記可動タレットが第１及び第２移動制限間を前記軸に沿って移動可能となるように、並びに、前記第１及び第２移動制限間の移動の間に前記注入ポート及び出口ポート間の流体の流れを維持する方法で、螺旋状に巻かれた前記チューブが伸長／収縮するように定められた位置で、前記軸に形成された
請求項３３に記載の機械配置。
【請求項３５】
前記可動タレットは、カム支持部と、前記カム支持部に動かないように支持されたカムとを備え、
前記カム支持部は、前記カム支持部がタレット駆動軸に対して軸方向に移動可能となるように、前記固定タレット及び可動タレット間に延設された前記タレット駆動軸の一端部を支持するベアリングを内蔵する
請求項２７に記載の機械配置。
【請求項３６】
前記可動タレットは、前記カム及び前記カム支持部に対して回動可能な支持ブロックを更に備え、
前記支持ブロックは、共に同期して回動するように、前記タレット駆動軸に対して選択的に相互に連結可能である
請求項３５に記載の機械配置。
【請求項３７】
前記支持ブロックは、前記支持ブロックが前記カムに対して回動されたその時に往復運動を生じさせる方法で、前記カムに動作可能に接続された缶ネッキング加工装置を支持するように構成された請求項３６に記載の機械配置。
【請求項３８】
前記缶ネッキング加工装置は、複数の押し板／ラム装置と複数のダイ及びノックアウトラム装置との一方を備えた請求項３７に記載の機械配置。
【請求項３９】
前記タレット駆動軸と同期して回動可能な第１及び第２の分離セグメントを含むタレットスターホイールを更に備え、
前記第１セグメントは、共に軸方向に移動可能となるように前記可動タレットに支持され、
前記第２セグメントは、前記固定タレットに支持され、
前記第１及び第２セグメントは、前記第１及び第２セグメントによって支持された複数の缶が、複数の押し板／ラム装置並びに複数のダイ及びノックアウトラム装置に対して所定の動作関係で支持されるように、前記複数の押し板／ラム装置並びに複数のダイ及びノックアウトラム装置と協力する
請求項３８に記載の機械配置。
【請求項４０】
前記タレット駆動軸に対して平行で、同期して回動可能となる関係に配置された移送駆動軸と、
前記移送駆動軸に取り付けられ、それらの間で缶を移送するように前記タレットスターホイールと協力する移送スターホイールと、
を更に備えた請求項３５に記載の機械配置。
【請求項４１】
前記移送スターホイールは、単一ユニットを形成するように互いに接続される構成を有する第１及び第２の部品を備え、前記移送スターホイールの第１部品は、
複数の缶受取凹部と、
１つの凹部にそれぞれ開口し、陰圧源と接続された複数の対応真空ポートと、
前記真空ポートに流体が流れるように、前記複数の凹部にそれぞれ形成された複数の導管部と、が形成され、
前記導管部は、閉塞端と開放端とを有するとともに、缶が凹部に入った際に、缶が入った前記凹部の導管に供給された陰圧が、前記缶の側壁に適用される吸引効果の影響によって、缶を適切な位置に保持するように構成された請求項４０に記載の機械配置。
【請求項４２】
前記移送スターホイールの前記第２部品は、それぞれ異なる幅を有し、前記移送スターホイールの全体の幅を変えるために前記第１部品に接続可能である複数の追加部材の中から選択可能な請求項４１に記載の機械配置。
【請求項４３】
前記複数の追加部材のそれぞれは、前記移送スターホイールの前記第１部品の凹部に対応する複数の缶受取凹部を有し、
前記各缶受取凹部は、前記移送スターホイールの前記第１部品の前記導管部に一致して、前記導管の長さを修正するように構成された導管伸長部を有する
請求項４２に記載の機械配置。
【請求項４４】
押し板及びラム装置、並びにダイ及びノックアウトラム装置の一方を支持する第１タレットと、
前記押し板及びラム装置、並びにダイ及びノックアウトラム装置の他方を支持する第２タレットと、
を有する機械装置を備えた缶ネッキング加工機ラインを、第１の缶ネッキング加工の設定から異なる缶ネッキング加工の設定に切り替える方法であって、
前記第１タレットを前記第２タレットに対して移動させることにより、缶の長さの変更に合わせて、前記設定を調整するステップと、
ネッキング加工される缶の長さに応じて、前記押し板及び前記ダイ間の距離を調整するステップと、
を備えた方法。
【請求項４５】
第１及び第２タレットスターホイールセグメント間距離が、前記第１及び第２タレット間距離の変更と共に変わるように、前記第１タレットスターホイールセグメントを前記第１タレットに接続し、前記第２タレットスターホイールセグメントを前記第２タレットに接続するステップを更に備えた請求項４４に記載の方法。
【請求項４６】
前記第１及び第２タレットスターホイールセグメントの一方と移送スターホイールとを、それぞれの駆動軸に、動作可能に相互に連結するタイミングプレートを使用することによって、並びに、
前記タレットスターホイールと移送スターホイールとを再び同期させることを必要とせずに、タレットスターホイールセグメント及び移送スターホイールの取り替えができるように、前記タレットスターホイール及び移送スターホイールセグメント間の所望の同期が得られた際に、前記タイミングプレートを前記各駆動軸に固定することによって、
前記第１及び第２タレットスターホイールセグメントと前記タレットスターホイールの両側に設置された前記移送スターホイールとの間の回動関係を同期させるステップ
を更に備えた請求項４５に記載の方法。
【請求項４７】
前記移送スターホイールの第１セグメントを移送スターホイールの駆動軸に動作可能に接続すること、及び、修正される缶の長さに応じて選択された幅を有するように選択された第２セグメントを、前記第１セグメントに動作可能に接続することによって、移送スターホイールの缶を支持する幅を調整するステップを更に備えた請求項４５に記載の方法。
【請求項４８】
前記第１セグメントに第１導管部を、前記第２セグメントに第２導管部を形成すること、並びに、前記移送スターホイールの前記第１及び第２セグメントの結合された幅によって伸長される閉塞導管を形成するように、前記第１及び第２導管部を結合することによって、前記移送スターホイールに形成された真空導管の長さを修正するステップを更に備えた請求項４７に記載の方法。
【発明の詳細な説明】
【技術分野】
【０００１】
この出願は、２００４年１１月１８日に提出された仮出願Ｎｏ．６０／６２８，５６２を優先権主張し、その全体の内容は、参照することによって一部に含まれる。
【０００２】
この発明は、一般に、機械ラインを構成する一連の機械装置、或いは機械ユニットに関し、より具体的には、上記機械装置の一部を形成し、第１寸法の製品が修正／製造される時の第１の設定と、異なる寸法の製品が修正／製造される時の少なくとも他の１つの設定との間で、上記ラインの迅速な切り替えを可能にする装置に関するものである。
【背景技術】
【０００３】
ネッキング加工機は、ビールや他の飲み物の缶等にネッキングを形成するために、長い間使用されている。これらの加工機は、信頼性が高く、高速で高精度なネッキング加工が確実に実現される程度にまで発達している。しかしながら、ある寸法を有する一連の缶から他のものに切り替える際に、休止時間がかなりの時間になり易いという欠点に直面する。即ち、上記切り替えには、次にネッキング加工される缶の新規直径或いは長さに適合させるため、莫大な数の構成部品の交換、及び新しい構成部品への取り替え、及び／又は現在の構成部品の再調整が必要になる。例えば、直径或いはネッキング形状の変更により、各タレットの現在の一連のダイ及びノックアウトパンチは、交換が必要になる。缶が上記ライン又は一連のネッキングタレットを蛇行して移動する間に、缶を一時的に保持し、その後、タレットスターホイールに移送する移送スターホイールは、直径の変更に合わせた交換、及び／又は長さの変更に合わせた位置変更、或いは、缶が長くなり直径が異なる場合にはその双方が、必要になる。上記タレットスターホイールも同様に、直径の変更とともに交換されなければならない。
【０００４】
タレット同士が極接近し、缶が運ばれる進路が蛇行しているため、例えば、ダイの交換が必要になった際に、ダイの２つ或いは３つしか、アクセス可能な、それらを支持するタレットの頂部には現れず、残りのダイはタレットの間や下方に残り、作業者の手が全く届かないという問題が生じる。これにより、これら構成部品を交換する仕事を任された１人若しくは複数の作業者は、アクセス可能に現れたダイを交換した後、次の２つ或いは３つの構成部品がアクセス可能となる位置まで、各タレットの回動自在な部品を回転させるために、加工機を揺り動かさなければならなくなる。これらのダイは、一般に、ネジカラーを用いて取り付けられており、締め付け／弛緩のために多くの回転が必要とされる。これは、必然的に手作業によって行われている。
【０００５】
１つのタレットに１２個の構成部品が支持され、ネッキング加工の工程に１２乃至１４台のタレットが必要になる場合、１６８もの作業が必要になる。したがって、例えば、１つのダイを解除して、それを他の物に取り替え、新しいダイを適切な位置に固定するのに、平均してちょうど３分掛かる場合には、一列に並んだ一連のタレットのダイを単に交換するだけで、少なくとも１人で８時間掛かることになる。したがって、当然のことながら、交換時間に関するどんな変更も、大いに増やされている。
【０００６】
言うまでもなくこれは氷山の一角であり、少なくとも上記に加え、（直径／長さが変更される場合には）所望のネッキング形状を得るために必要な一連のネッキング加工動作に合わせて、缶をそれぞれ移送及び位置決めするスターホイールの取り替え／移動が必要になる。また、缶離れが、精度良く、円滑に、且つ缶に損傷を与えることなく行われるように、缶を取り扱う各スターホイールの、その両側のスターホイールに対する慎重な設定も必要になる。
【０００７】
したがって、この生産性のない労働、即ち休止時間を削減できることが、強く望まれている。
【発明の開示】
【０００８】
ある種類の缶の製造から、直径、長さ、ネッキング形状のうちの１つ或いは２つ以上が異なることを特徴とする他の新しい缶の製造へ、迅速に切り替えるため、一連のタレット加工機を備えた機械ラインは、上記ラインを新規設定が得られる程度に調整するために必要な、多くの作業／時間を削減する装置（ａｐｐａｒａｔｕｓ／ｄｅｖｉｃｅｓ／ａｒｒａｎｇｅｍｅｎｔｓ）を含んでいる。
【０００９】
例えば、異なる長さの缶に適合させるため、押し板を支持／駆動するラムを支持するように構成されたタレット、若しくは、ダイ／ノックアウトラムを支持するタレットは、押し板／ラム及びダイ／ノックアウトラムの他方を支持する対応のタレットに対して、移動可能に配置される。これにより、可動タレットが、長さの違いを許容するように、他方（固定タレット）に接近及び離隔する方向に移動できるようになり、異なる長さの缶を許容するために各押し板を交換するといった必要性が取り除かれる。これにより、１台のタレット加工機につき、時間の掛かる１０乃至１６個の作業が、即座に削減される。
【００１０】
更に、この実施の形態においては、タレットスターホイールが、２つの個別のセグメントから構成される。各セグメントは、可動タレットが静止タレットに対して移動する際に、２つのタレットスターホイールのセグメント間距離が機械的に順応し、少なくとも、タレットスターホイールを交換する必要性、及び／又は（缶の長さの変更に関連して）それらの接続を変更する必要性が取り除かれるように、異なるタレットに支持されている。可動タレットに関連するタレットスターホイールセグメントに関連する下側ガイドは、解放されて支持軸に沿ってスライドされ、その後に、タレットスターホイールの可動セグメントに対して適切な位置に再固定される必要がある。この下側ガイドは、移送スターホイールに支持された缶の、次のタレットスターホイールへの移送が容易になるように設計されている。
【００１１】
缶の長さの変更が、缶が長くなり、その重心が、（ネッキング加工機／モジュール間で缶を移送する）移送スターホイールの幅のかなり外側に位置するようになった場合、この発明の実施の形態では、移送スターホイール自体を取り替える代わりに、移送スターホイールが、対向関係で共に固定される第１及び第２セグメントによって形成されるようにしている。移送スターホイールの幅を増加させるため、移送スターホイールの第２セグメントは、より幅が広いもので、移送スターホイールの全幅が、缶の重心がその幅内、及び／又は通常の移送パラメータ内に収まるようになるものに交換される。第１セグメントは、後により明らかに理解される理由によりスターホイール間の位置を調整するための必要性が何も無い、適切な位置に固定されたままの状態を保つ。この幅の増加により、移送スターホイールが回転する時に適用される遠心力に対して、缶の安定性が保たれ、缶が揺れたり、缶が移送ラインから外れたりすることが防止される。
【００１２】
移送スターホイールの回動軸の下方位置まで缶が回転された際に、缶を適切な位置に固定するため、第２移送スターホイールのセグメントには、第１、即ち基部セグメントに形成された凹部に一致する（即ち、対になる）ように構成された缶受取凹部、即ちポケットの底部に、導管部が備えられている。これにより、タコの吸盤と同様に機能する導管を単に伸ばす、即ち長くする装置が供給され、細長い凹部に沿って吸引力を適用し、缶を適切な位置に安定して保持することが可能となる。
【００１３】
直径が変更された場合、移送スターホイールとタレットスターホイールとの双方を、適切な半径の缶受取凹部を有するものに取り替えることが必要になる。従来では、この取り替えに、上述したように、缶を１つのホイールから次のものに滑らかに移送し、損傷や変形を与えずに、且つネッキングダイに適切に押し付けるように位置決めするために、各移送スターホイール及びタレットスターホイールを、次のものに対してかなりの精度で位置合わせすることが要求された。この工程の速度を上げ、移送スターホイール及びタレットホイールの全てを互いに再び同期させる必要性を排除するため、タイミングプレートが、移送スターホール及びタレットスターホイールを支持する軸に固定され、互いに対して正確に配置されている。したがって、移送スターホイールとタレットスターホイールとがそれぞれのタイミングプレートに取り付けられると、それらは、所要の方法で互いに対して正確に設置され、他方に対する一方の回動角を調整する必要性が取り除かれる。上記タレットスターホイールは、可動タレット及び固定タレットを相互に連結する主軸の周囲における適切な位置に缶が配置されるように、２つの半体で形成されている。
【００１４】
タイミングプレートは、位置決めピン（例えば、ダボ）を有するように構成され、移送スターホイール及びタレットスターホイールには、各スターホイールの全く同じ位置に穴あけ加工／リーマ加工された孔が形成される。したがって、一連のタレットモジュールのそれぞれに第１タイミングプレートを設定した後に必要なことは、スターホイールを交換して、適正な位置にそれらをボルト固定するだけである。これにより、缶離れ／移送に適した位置に固定されるようにスターホイールを設置するために、慣例的に使用されている、缶の寸法に一致する工具／治具を使用する必要性が排除される。
【００１５】
直径が変更された場合、ダイ及びノックアウトパンチの交換も必要になる。慣例的には、上記ダイは、手作業によって締め付け及び弛緩されるネジカラーを用いて、適切な位置に固定されている。各カラーをその動作位置から外して新しい各ダイを適切な位置に設置するために必要な程度まで、手作業によって古いダイの各ネジカラーを弛緩及び回転させること、及び、その後、再び手作業でネジカラーを動作位置に回転させて新しいダイを適切な位置に固定することによって上記交換をもたらすことは、言うまでもなく多大な時間を必要とする作業である。この作業は、手で行われる際に、この工程の間にカラーが落下しないように注意を払わなければならないという点で、二重に困難になる。
【００１６】
この発明の実施の形態では、弛緩及び締め付けに１つのボルトしかそれぞれ必要としない、揺動可能なクランプを使用することによって、これを克服している。当然、この締め付け／弛緩は、空気圧や電気で駆動されるパワー工具のような、適切なパワー工具を使用して行われる。この発明のこの実施の形態によれば、各クランプは、隣接する一対のダイのフランジ部にそれぞれ係合する２つの弓状の断面を有するように配置されている。
【００１７】
別の実施の形態においては、上記クランプは、揺動自在に取り付けられておらず、取り外し可能になっている。この実施の形態では、クランプは、１本又はそれ以上のボルトを用いて、適切な位置に固定される。これらの実施の形態の双方が、それぞれ、弓状の２つのダイ係合面を有しているが、この発明は、そのように限定される訳ではなく、弓状のダイ係合面を１つしか有していないものも、この発明の実施の形態の範囲内である。
【００１８】
揺動自在なクランプを備えたこの発明の実施の形態については、２つのダイを適切な位置にスライドさせて、クランプを適切な位置に回転させた後、２つのダイの間で手が届くように設置されたボルトを１本締め付けることにより、隣接する２つのダイを適切な位置に固定することができる。これにより、図３５から最も良く理解されるように、各ダイに対して、２×αのクランプとの接触が与えられる。しかしながら、結局は、クランプの数はダイの数と同じになる。従来必要とされた手作業の回転とは異なり、空気圧で駆動される工具を用いて、ボルトは締め付け／弛緩される。
【００１９】
揺動自在なクランプを備えた実施の形態においては、上記クランプには戻り止めがそれぞれ備えられており、クランプが解放された際に、クランプがそれぞれ後方に回転し、戻り止めによって開放位置に一時的に保持されるようになる。この特徴は、１組のダイを取り外す際に、クランプの作動領域によって、同時に約３つ以上のダイに実際にアクセスすることができなくなるというものである。したがって、取り外しが可能な程度にそれらが現れる位置に次の組のダイを回転させるため、タレットを動かすことが必要になる。ダイは同じ或いは同様の色をしていることが多いため、混乱を防止するために、新しいユニットを適正な位置に配置する前に、全ての組のダイを取り外すことが良く好まれる。戻り止めにより、上記タレットを部分的に回動（移動）させることができる開放位置に、クランプを揺動させてスナップさせることができ、生じた遠心力の影響を受けてクランプが外側に振れ、隣接する機器に干渉して一方或いは双方に損傷／破壊を誘引する恐れはない。
【００２０】
上記ライン端部の供給装置及び排出装置は、加工される缶の長さが変更された際に、缶の長さに対して調整される必要がある。供給装置及び排出装置の実施の形態では、この調整が容易化され、上記機構の２つの半体は、それらが相互に支持された軸を含み、上記半体が少なくとも一方に沿ってスライド可能になっている。延設された上記軸を通し、上記機構（半体）に支持されたカラーは、装置の再設定を許容し、装置の幅を、まさに加工（ネッキング加工）しようとしている缶の長さに対して調整可能にするため、例えば、携帯用のパワー工具の使用によって選択的に締め付け／解放される。
【００２１】
より具体的に表現すると、この発明の第１の態様は、機械ラインを構成する方法で互いに協力するように配置された複数の機械装置と、缶が上記機械ラインの缶供給部から缶排出部へ通過し、所定の形状を呈する進路に沿って移動する際に、少なくとも、上記缶の移送、保持、操作及び形成のうちの一つを行うため、並びに、第１の組の寸法を有する缶の修正に適した設定から、第２の組の寸法を有する缶に適した設定に変更するために必要な作業を最小限に抑えるため、上記機械装置に関連する、及び／又は上記機械装置の一部を構成する装置手段と、を備えた機械配置に存在する。
【００２２】
上記機械ラインにおいて、機械装置は、それぞれ第１及び第２タレットを備え、上記装置手段は、上記両タレット間距離が、ネッキング加工される缶の長さに対して調整可能となるように、上記第１及び第２タレットの一方を他方に対して移動させる手段を備える。
【００２３】
この機械配置において、上記移動手段は、上記第１及び第２タレットの一方を他方に対して位置変更するために、選択的に動作可能である位置調整駆動装置を備える。ある実施の形態においては、上記移動手段は、動かないように機械シャーシに固定されたテーブルを備え、上記テーブルは、上記駆動装置が支持部を上記テーブルに沿って移動させるように、上記駆動装置に協力する。上記支持部は、一旦最適な位置変更が得られると、上記支持部を上記テーブルに固定するためのロック装置を含んでいる。
【００２４】
上記機械配置は、上記第１及び第２タレットの一方は、ａ）押え板及びラム装置とｂ）ネッキングダイ及びノックアウトラム装置との一方を支持し、一方で、上記第１及び第２タレットの他方は、ａ）押え板及びラム装置とｂ）ネッキングダイ及びノックアウトラム装置との他方を支持するようなものである。この場合において、装置手段は、上記第１及び第２タレットに対して所定の動作位置に缶を支持し、第１及び第２の分離セグメントを含むタレットスターホイール装置を備え、ある実施の形態においては、上記第１及び第２の分離セグメントは、上記第１及び第２タレット間距離がネッキング加工される缶の長さに対して調整された際に、上記第１及び第２セグメント間距離が同時に変更されるように、上記第１及び第２タレットにそれぞれ支持される。
【００２５】
この配置において、上記所定の動作位置は、ａ）押え板及びラム装置とｂ）ネッキングダイ及びノックアウトラム装置とに対して、一直線に並ぶ位置である。
【００２６】
更なる実施の形態においては、上記装置手段は、タレット機構の適切な位置にスライド可能に配置された複数のダイと、複数のボルトによって上記タレット機構に固定された複数のクランプと、を備え、各クランプは、各ダイの一部に係合して上記タレット機構に上記ダイを保持する係合面を有する。好適な実施の形態においては、上記複数のクランプは、上記タレット機構にそれぞれ揺動可能に支持される。これにより、落下や紛失の可能性が排除され、設定変更の間、作業者に管理を要求する部品の数が削減される。
【００２７】
これらの揺動可能な各クランプは、少なくとも１つのダイを上記タレット機構の適切な位置に保持する位置から、離れるように回転された開放位置に、上記クランプを保持する戻り止めを有する。これにより、クランプが上述のように適切な位置に好適に固定される。上記各クランプは、上述のボルトによって上記タレット機構に固定される。
【００２８】
上述の機械配置において、各機械装置は、タレットスターホイール及び移送スターホイールをそれぞれ支持し、同期して反対方向に回動する平行な第１及び第２の軸を少なくとも有する。上記タレットスターホイール及び上記移送スターホイールは、それらの間を缶が通過し、上述した所定の形状を呈する上記進路の一部に沿って上記缶が移動するように配置される。この実施の形態においては、上記装置手段は、第１及び第２のタイミングプレート、即ちハブを備え、上記第１タイミングプレートが第１の軸に、上記第２タイミングプレートが第２の軸に関連する。
【００２９】
これらの各タイミングプレートは、関連する上記軸に対して位置調整が可能で、適切な位置に固定される。上記第１タイミングプレートは、上述の第１及び第２タレットスターホイールセグメントの一方に、上記第１の軸を用いて相互に連結され、一方で、上記第２タイミングプレートが上記移送スターホイールに、上記第２の軸を用いて相互に連結される。第１及び第２タレットスターホイールセグメントの他方は、タイミングプレートが介在することなく、上記第１の軸に直接接続される。この直接接続されたセグメントは、上記第２セグメントと上記移送スターホイールとが調節されたことに対する基準としての機能を有する。
【００３０】
上記タレットスターホイール及び上記移送スターホイールは、異なるタレットスターホイールと異なる移送スターホイールとにそれぞれ交換であり、これらのタイミングプレートは、上記各軸のそれぞれ適切な位置に一旦調整及び固定されると、上記軸における上記タイミングプレートの位置的な配置によって、交換後の上記タレットスターホイール及び交換後の上記移送スターホイール間の位置関係を、交換前の上記スターホイール及び上記移送スターホイール間の位置関係と同じにさせるようなものである。これにより、現在使用されているスターホイールを取り除き、時間が掛かる位置調整を全く行うことなく、異なる直径のポケットを有するものを適正な位置に取り付けることが可能になる。
【００３１】
他の実施の形態は、上述した各機械装置が、上述の所定の形状を呈する進路の一部に沿って缶を移送するように構成された、交換可能なスターホイールを支持する駆動軸を有するようなものである。この場合において、上記装置手段は、上記駆動軸に関連するタイミングプレートを備える。上記タイミングプレートは、上記駆動軸に対して位置調整が可能で、適切な位置に固定されるとともに、交換可能な第１スターホイールが交換可能な第２スターホイールに取り替えられた際に、上記第２スターホイールが、前記駆動軸に対して、取り替えられた上記第１スターホイールと同じ角回転の関係となるように、交換可能な上記第１スターホイールを上記軸に接続するように構成される。
【００３２】
上述の実施の形態において、上記第２スターホイールは、上記第１スターホイールの缶受取凹部に対して異なる直径の缶受取凹部を有する
【００３３】
更に、交換可能な上記各スターホイールは、第１及び第２セグメントを備える。より具体的には、上記機械装置は、第１及び第２タレットをそれぞれ備え、上記第１及び第２セグメントは、上記第１及び第２セグメントがそれぞれ上記第１及び第２タレットに関連するタレットスターホイール装置の分離セグメントを構成する。
【００３４】
ある実施の形態においては、上記第１及び第２セグメントは、単一ユニットを形成するように接続可能である。追加／交換用の複数の第２セグメントが利用できる。それぞれのものは異なる幅を有しており、上記単一ユニットの幅を調整するために、最適な１つが選択される。
【００３５】
上記第１セグメントは、その周囲に、等間隔に配置された複数の缶受取凹部を有する。各凹部は、真空導管の第１部分が形成される。各第２セグメントは、上記真空導管の第２部分が形成される。この配置において、各真空導管は、上記第１及び第２セグメントが共に固定されて、上記真空導管の上記第１及び第２部分が互いに一致した際に、完全なものになる。
【００３６】
供給装置と排出装置とが、上記機械ラインの上流端及び下流端に配置される。この場合において、上記装置手段は、互いに接近及び離隔する方向に選択的にスライド可能となるように、互いに動作可能に相互に連結された第１及び第２の半体をそれぞれ含む上記供給装置及び排出装置を備える。具体的な実施の形態においては、上記供給装置及び排出装置のそれぞれの上記２つの半体は、複数の軸によって互いに移動可能に支持される。延設された上記軸を通すカラー、例えば、分割カラーが、上記２つの半体に固定され、上記供給装置及び排出装置の即時の再設定を可能にするため、選択的に締め付け／解放されるように配置される。
【００３７】
上記機械配置は、上記機械装置が、少なくともその一部に、複数の機械モジュール、及び／又は共通のシャーシに取り付けられた複数の機械を備えた実施の形態を含む。
【００３８】
上述の機械配置の更なる態様は、上記第１タレットは、上記第２タレットに対して移動可能であるとともに、上記第１タレットは、カム支持部と、上記カム支持部に動かないように支持されたカムと、上記カムに対して回動可能であり、共に同期して回動するように上記第１及び第２タレットを動作可能に相互に連結する駆動軸と接続された支持ブロックと、を備えることに存在する。この場合において、上記装置手段は、上記第１タレットの上記第２タレットに対する位置変更が、選択的に動作可能である位置調整駆動装置と、上記第１タレットが上記位置調整駆動装置によって上記第２タレットに対して移動される際に、位置を変更する間に上記カム支持部及び上記支持ブロック間の位置関係が変わらないように、位置を変更する間、上記カム支持部及び上記支持ブロックを相互に連結する軸調整具と、によって具現化される。
【００３９】
この発明の他の態様は、上記性質の可動タレットのための注油装置に存在する。この注油装置は、注入ポートと、出口ポートと、上記注入ポート及び出口ポートを流体が流れるように相互に連結する、螺旋状に巻かれたチューブとを含む。上記注入ポートは、回動するように駆動されて上記タレット装置の長さを基本的に伸ばす、軸方向に固定された軸に形成される。上記押し板／ラム装置とダイ及びノックアウトラム装置との一方が支持された上記支持機構は、共に同期して回動するように、上記軸にスプライン結合される。上記出口ポートは、上記押し板／ラム装置とダイ及びノックアウトラム装置との一方に潤滑油を供給するため、上記支持機構に関連される。螺旋状に巻かれた上記チューブは、上記軸の周囲に配置される。上記軸は、潤滑油が上記注入ポートに供給される際に通る同軸の孔を有する。上記注入ポートは、上記可動タレットが第１及び第２移動制限間を上記軸に沿って移動可能となるように、並びに、上記第１及び第２移動制限間の移動の間に上記注入ポート及び出口ポート間の流体の流れを維持する方法で、螺旋状に巻かれた上記チューブが伸長／収縮するように定められた位置で、上記軸に形成される。
【００４０】
上記カム支持部は、少なくともある実施の形態において、上記カム支持部は、上記カム支持部がタレット駆動軸に対して軸方向に移動可能となるように、上記固定タレット及び可動タレット間に延設された上記タレット駆動軸の一端部を支持するベアリングを内蔵する。上記可動タレットは、上記カム及び上記カム支持部に対して回動可能な支持ブロックを更に備え、上記支持ブロックは、共に同期して回動するように、上記タレット駆動軸に対して選択的に相互に連結可能である。この実施の形態において、上記支持ブロックは、上記支持ブロックが上記カムに対して回動されたその時にその中に往復運動を生じさせる方法で、上記カムに動作可能に接続された缶ネッキング加工装置を支持するように構成される。上記缶ネッキング加工装置は、この場合において、複数の押し板／ラム装置と複数のダイ及びノックアウトラム装置との一方を好適に備える。
【００４１】
この発明の更なる態様は、機械ラインを定めるために協力する一連の機械装置を形成する複数の部品であって、ある製品修正の設定から他の製品修正の設定に切り替えるために、少なくとも部分的に変更／調整される必要がある部品を色分けすること、及び、上記一連の機械装置によって生産されるアイテムの寸法変更の指示に応じて、色分けされた部品を交換し、製品修正の設定変更をもたらすことを備えた、製品修正の設定を迅速に切り替える方法に存在する。
【００４２】
更に、この発明の他の態様は、缶ネッキング加工機で使用されるスターホイールに存在し、上記スターホイールは、駆動軸に接続されるように構成された第１セグメントと、上記第１セグメントに接続可能となるようにそれぞれ構成された複数の第２セグメントと、を備え、上記複数の第２セグメントのそれぞれは、上記第１セグメントと接続された際に、特定の長さ及び直径寸法を呈する缶を支持するのに適した全幅を選択的に作り出すことができるように、異なる幅を有している。この場合における上記第１セグメントは、その周囲に形成された複数の缶受取凹部を有し、上記各凹部はその底部に形成された第１導管部を有し、上記各第１導管部は陰圧源に接続される。各第２セグメントは、その周囲に形成され、上記第１セグメントに形成された缶受取凹部と一致するように構成された複数の缶受取凹部を有するとともに、その中に形成された第２導管部を有し、各第２導管部は、第１導管部と一致して完全な導管部を形成するように構成される。
【００４３】
この実施の形態において、スターホイールは、ａ）押え板及びラム装置、並びにｂ）ネッキングダイ及びノックアウトラム装置の一方をそれぞれ支持するように構成された第１及び第２タレットに関連するタレットスターホイールから、又はタレットスターホイールに対して缶を移送する移送スターホイールのことである。上記第１タレットは、上記第２タレットに接近及び離隔するように移動可能であり、上記タレットスターホイールは第１及び第２の分離タレットセグメントを備え、ここで、上記第１タレットセグメントは上記第１タレットに動作可能に支持され、上記第２タレットセグメントは上記第２タレットに支持される。
【００４４】
この発明の更なる態様は、缶ネッキング加工機で使用されるクランプに存在し、上記クランプは、拘束位置と開放位置との間を回転する揺動部を備え、上記揺動部は、ダイに係合し、ダイブロックの適切な位置に上記ダイを固定するように構成された、少なくとも１つの弓状の拘束面を有する。取付ブラケットは、ダイブロックに固定されるように構成される。このブラケットは、軸の周囲を回転する上記揺動部を支持するように構成される。固定ボルトは、上記揺動部に形成された貫通孔に回転可能に受けられるとともに、上記ダイブロックとこのダイブロックに固定されたクランプ取付ブラケットとの一方に形成されたネジ孔に締め付けられるように構成される。上記貫通孔は、上記ボルトの軸が、揺動部がその周囲を回動する回動軸に対して垂直な平面のある角度に渡って回動するように、上記ボルトの回動動作を許容するように構成される。
【００４５】
この発明の更なる態様は、缶ネッキング加工機で使用されるタイミングプレートに存在する。上記タイミングプレートは、上記ネッキング加工機で缶を移送するスターホイールを支持するように構成されたプレートを備え、上記プレートは、スターホイールを他のものに取り替えることができるように、及び、前記他のスターホイールが、取り替えたものと全く同じ位置状態となるように、前記スターホイールに関連する駆動軸に調整可能に接続できる。
【００４６】
この発明の更なる態様は、押し板及びラム装置、並びにダイ及びノックアウトラム装置の一方を支持する第１タレットと、上記押し板及びラム装置、並びにダイ及びノックアウトラム装置の他方を支持する第２タレットと、を有する機械装置を備えた缶ネッキング加工機ラインを、第１の缶ネッキング加工の設定から異なる缶ネッキング加工の設定に切り替える方法であって、上記第１タレットを上記第２タレットに対して移動させることにより、缶の長さの変更に合わせて、上記設定を調整するステップと、ネッキング加工される缶の長さに応じて、上記押し板及び上記ダイ間の距離を調整するステップと、を備えた方法に存在する。
【００４７】
この方法は、更に、第１及び第２タレットスターホイールセグメントタレット間距離が、上記第１及び第２タレット間距離の変更と共に変わるように、上記第１タレットスターホイールセグメントを上記第１タレットに接続し、上記第２タレットスターホイールセグメントを上記第２タレットに接続することを含む。
【００４８】
この方法の他の態様は、上記タレットスターホイールと上記移送スターホイールとを、それぞれの駆動軸に、動作可能に相互に連結するタイミングプレートを使用することによって、並びに、上記タレットスターホイールと移送スターホイールとを再び同期させることを必要とせずに、タレットスターホイール及び移送スターホイールの取り替えができるように、上記タレットスターホイール及び移送スターホイール間の所望の同期が得られた際に、上記タイミングプレートを上記各駆動軸に固定することによって、上記第１及び第２タレットスターホイールセグメントと上記タレットスターホイールの両側に設置された上記移送スターホイールとの間の回動関係を同期させることに存在する。
【００４９】
上記に加え、上記移送スターホイールの第１セグメントを移送スターホイールの駆動軸に動作可能に接続すること、及び、修正される缶の長さに応じて選択された幅を有するように選択された第２セグメントを、上記第１セグメントに動作可能に接続することによって、移送スターホイールの幅を調整することも可能である。
【００５０】
上述の方法は、上記第１セグメントに第１導管部を、上記第２セグメントに第２導管部を形成すること、並びに、上記移送スターホイールの上記第１及び第２セグメントの結合された幅によって伸長される閉塞導管を形成するように、上記第１及び第２導管部を結合することによって、上記移送スターホイールに形成された真空導管の長さを修正することも含む。
【００５１】
この発明の他の態様は、クランプ部材を使用して、ネッキングダイをそれぞれの動作位置にクランプするとともに、ボルトを締結することによって上記クランプを固定する方法に存在する。これには、上記ダイが支持されるブロックに取付ブラケットを取り付け、ボルトを使用して、上記取付ブラケットに上記クランプ部材を固定することが含まれる。更に、この方法は、クランプをブラケットに揺動自在支持すること、及び揺動自在に支持されたクランプを、戻り止めを使用して開放位置に保持することを特徴とする。
【発明を実施するための最良の形態】
【００５２】
添付の図面に関して、好適な実施の形態の詳細な説明が与えられるにつれて、この発明の実施の形態の様々な態様と有利な点が、より明らかに理解されるようになる。
【００５３】
図１は、概略正面図において、缶が、“機械ライン１０２”と言及されるものを含む一連のタレットネッキング加工機を通過して、ネッキング加工される際に、その缶によって辿られる基本的な進路を示しており、この発明の様々な実施の形態が含まれている。この実施の形態においては、上記進路は、基本的にその形状が蛇行している。
【００５４】
図示されているように、缶は、缶供給装置１０４から上記ラインに入り、第１移送スターホイール（ｓｔａｒｗｈｅｅｌ）１４０´によって持ち上げられる。この缶は、“吸引”と言及される、空気圧差を用いて、第１移送スターホイール１４０´の適切な位置に保持される。この第１スターホイールに関する更なる説明については、後述する。
【００５５】
缶は、その後、第１移送スターホイールから第１タレットスターホイール１４２´に渡され、第１ネッキング加工機１００におけるネッキング加工の第１段階に移行する。この発明は、そのように限定される訳ではないが、この発明の実施の形態では、ネッキング加工機１００は、モジュール１１０として構成されている。上記モジュールの例は、図２に示されている。図２に示された性質のネッキング加工機モジュール１１０の使用により、機械ライン１０２は、必要とされる数と同数のネッキング加工の段階を提供するため、並びに、基本的なネッキング加工の動作に続いて行われるフランジ加工、及び／又は基部のリフォーム加工／リプロファイル加工のような、更なる段階の追加を可能にするために、アセンブリされる／交換されること、並びに、望むように追加される／取り外されることが可能になる。
【００５６】
図２は移送スターホイールの（図１６乃至１８に関連して後により詳細に説明される）駆動軸がそこを通って延設するように配置される開口を示しており、カバー１１２Ｃが、外側、即ち可動タレット１１２の一部を覆うように配置されていることに注目すべきである。
【００５７】
この発明の第１の実施の形態において、外側タレット１１２（又は、可動タレットと言及される）は、端部ハウジング１１３から見て末端に設置され、軸方向に移動可能で内側タレット１１４に接近及び離隔するように、タレットモジュールの基部フレーム、即ちシャーシ１１５に支持されている。これにより、可動タレット１１２を、他方（言い換えると、内側、即ち固定タレット１１４）に対して位置変更することが可能で、２つのタレット１１２及び１１４間距離を調整することができ、したがって、ネッキング加工される缶の長さへの変更が可能になる。この動きにより、例えば、缶の長さの違いを許容するために別に必要とされる押し板を修正する／取り替える必要性が排除される。
【００５８】
この発明の実施の形態において、押し板及びラム（ｒａｍ）装置１１６は、可動タレット１１２と固定タレット１１４との一方に支持され、対応のネッキングダイ及びノックアウトラム（ｋｎｏｃｋｏｕｔ  ｒａｍ）装置１１８が、上記タレットのうちの他方に支持される。例えば、図３は、押し板及びラム装置１１６が可動タレット１１２に支持された装置を示しており、一方で、図４はそれらが固定タレット１１４に取り付けられた一実施の形態を示している。
【００５９】
実施の形態でのネッキング加工機は、押し板及びラム装置の上述の配置に関係なく、駆動軸１２０が、タレット１１２及び１１４の双方を通るように延設されたものである。この“タレット”駆動軸１２０の“外側”端部１２０Ａは、外側タレット１１２のカム支持部に支持されたベアリング１２２を介して支持されている。このタレット１１２は軸方向に移動可能であることが要求され、駆動軸１２０は軸方向に移動可能ではないため、ベアリング１２２が上記カム支持１２４内をスライドするように配置される。若しくは、ベアリング１２２がカム支持１２４に動かないように支持されて、可動タレットがその移動制限内を移動することが可能になるように、ベアリング１２２を通ってスライド可能に、駆動軸１２０が適合される。説明される実施の形態では、前者の配置が使用されている。
【００６０】
カム１２６は、カム支持１２４の内側の面で支持されている。図示されているように、カム１２６とカム支持１２４との双方は、説明されている実施の形態において、基本的に中空であり、ネッキング加工動作の間、静止した状態を保っている。図３において、ラムブロック１２８は、共に同期して回動するように駆動軸１２０にスプライン結合されており、カム１２６の内側の面に据えるように配置されている。このラムブロック１２８は、押し板及びラム装置がカム１２６と動作可能に接続されるように、押し板及びラム装置１１６を支持している。カムに対するラムブロック１２８の回動により、ラムブロック１２８と共に回転して、押し板及びラム装置１１６の往復運動が動作可能にもたらされる。
【００６１】
ラムブロック１２８がシャーシに対して移動可能であるため、駆動軸１２０には、同軸孔１２０Ｂとポート１２０Ｃが終端となる半径方向の通路とが、押し板及びラム装置１１６に潤滑油を供給するために形成されている。図３に示すように駆動軸１２０の周囲に配置された螺旋状のチューブ１２１は、一端がポート１２０Ｃに接続され、他端が押し板及びラム装置１１６に（間接的にではあるが）適切に接続されている。
【００６２】
図４に示す実施の形態では、ラムブロック１２８が工具ブロック１２９に取り替えられ、ラムブロック１２８は、図３に対して、静止、即ち固定タレットに配置されている。この配置では、加工側ラム装置１１８が、押し板及びラム装置１１６の代りに往復運動する。同様の螺旋状の潤滑チューブ装置が、加工側ラム装置１８に潤滑油を供給するために備えられている。
【００６３】
（図６乃至図１５に示された）カム支持１２４は、（カム支持１２４の一部を構成し、シャーシ１１５に固定された）テーブル１２４Ｂを介して上記フレーム、即ちシャーシ１１５に、並びに、カム支持１２４を、固定、即ち静止タレット１１４に接近及び離隔するように上記テーブルに沿って移動させることを可能にする駆動装置１３０に、動作可能に相互に連結されている。この駆動装置１３０は、軸１３２の回動によって、カム支持１２４がテーブル１２４Ｂ、即ちシャーシ１１５に対して移動するように、ギアが取り付けられたネジ軸１３２を備えている。この装置は、旋盤や他の種類の切削装置で見られるギア／送り装置に似たものである。したがって、この種の位置送り装置は周知であるため、同様の詳細な説明は、簡略のため省略する。
【００６４】
カム支持１２４をシャーシ１１５に沿って移動させる時、カム１２６とこのカムに配置されたブロック（図３におけるラムブロック、若しくは図４における加工側ブロック）とは、支持ブロック（一般的に言及されている）に支持された装置の動作にとって重要なシールや他の動作接続の損失を防止するため、軸上での相対的な変位及び離隔が生じることを回避しなければならない。
【００６５】
これを達成するため、図３２に示された性質の軸調整具１５０が、図３１に描かれたように配置されている。より詳細には、この軸調整具１５０は、カム支持１２４の側部に形成された穴に受けが可能な１つの係合部１５２と、カム１２６に関連する支持ブロック（１２８、１２９）に形成された穴に受けが可能な第２係合部１５４とを有している。堅い橋部１５３は、２つの係合部１５２及び１５４を相互に連結し、堅固に支持する。
【００６６】
支持ブロック（１２８、１２９）を適切に回転させることにより、この穴を、第１及び第２係合部をそれぞれ挿入できる位置に配置することができる。説明されている実施の形態においては、軸工具１５０には、把手１５２Ｂ及び１５４Ｂの回転に応じて、係合部の端部をそれぞれの穴に一時的に固定するロック部品１５２Ａ及び１５４Ａが備えられている。
【００６７】
図３１で説明されたように軸工具を配置して適所に固定した状態で、カム支持１２４をシャーシ１１５の適切な位置に固定するロック装置が、タレット駆動軸１２０に沿った軸方向への移動に対して支持ブロック（１２８又は１２９）を固定するために使用される固定装置とともに解放される。これにより、カム支持１２４、カム１２６及び支持ブロック（１２８及び１２９の一方）を備えるユニットが、単一のユニットとして、シャーシ１１５に対して移動可能な状態になる。
【００６８】
選択された押し板と対応するダイとの間に挿入される工具又はスペーサ（図示せず）は、可動タレット１１２（この場合、カム支持１２４、カム１２６、及び支持ブロック１２８／１２９）を固定タレット１１４に対して適切な位置に移動させる際に、ネッキング加工する次の缶の寸法を測定するために使用される。可動タレット１１２が新しい缶の寸法に対して適切に位置決めされると、カム支持１２４は、シャーシ１１５の適切な位置に固定される。その後、軸工具１５０が解放されて取り外され、最後に、動作中の軸方向への変位を防止するため、支持ブロック（１２８／１２９）がタレット駆動軸１２０に固定される。
【００６９】
図１５は、上述のようにシャーシ１１５に対して動かないように固定される構成を有するテーブル１２４Ｂと、テーブル１２４Ｂに形成された案内トラックにスライド可能に支持され、軸１３２の回動に応じてテーブル１２４Ｂに沿って移動可能なカム支持１２４の一部１２４Ｃとの間の噛み合いを防止して相対的な移動を生じさせるように、締め付けられるロック装置１２４Ａの一例を示している。上記トラックは、当然、軸方向にだけ移動できる（即ち、タレット駆動軸１２０の軸方向に対して基本的に平行な移動）ように構成されており、旋盤等で見られる種類のものである。
【００７０】
例えば、上記ロック装置は、その一部を構成するボルトの回動に応じて伸長し、テーブル１２４Ｂに形成されたトラックの一部にぴったりと係合する装置の形を取ることも可能である。しかしながら、実施の形態では、この特定の装置に限定される訳ではなく、カム支持１２４の基部とテーブル１２４Ｂとを共にしっかりと固定するために、開放可能で適合するクランプは、如何なるものでも使用できる。
【００７１】
駆動装置１３４は、タレット駆動軸１２０の端部に、動作可能に接続されている。駆動軸１３４の端部のギア１３６は、移送駆動軸１３８の端部のギア１３７に対して、駆動接続された状態で設置されている。この種の駆動軸の例は、図１６及び図１７に示されている。移送駆動軸１３８は、移送スターホイール１４０を、タレットスターホイール１４２に対して缶がそれらの間を移送されるような位置に支持するように配置される。この配置の一例は、図１８乃至図２０に示されている。
【００７２】
機械ライン１０２では、実際に、移送スターホイールが、図１に描かれたように、各タレットスターホイール１４２のそれぞれの両側に配置されている。
【００７３】
各タレットスターホイール１４２は、２つの分離した構成部品、即ち“セグメント”１４２Ａ及び１４２Ｂ（例えば、図１８及び図１９参照）として構成されている。各セグメントは、例えば図３に示す方法でタレット駆動軸１２０の適切な位置に配置されるように、２つの半円形状の半体（例えば、図１８及び図２０参照）で構成される。セグメント１２４Ａ及び１２４Ｂのそれぞれは、タレット１１２及び１１４の一方に接続され、その結果、外側のセグメント１４２Ａが、２つのタレット１１２及び１１４間の距離が調整された際に２つのセグメント１４２Ａ及び１４２間の距離が調整されるように、可動タレット１１２と共に移動可能となる。これにより、缶の長さの変更が同じものが要求された場合に、１つのスターホイールの接続を外して、それを他の物に取り替える必要性が排除される。当然、直径を変更する場合には、缶受取凹部、即ちポケットの寸法がより適切な他の物に取り替えるために、異なるセグメントが必要になる。
【００７４】
各タレットスターホイール１４２の２つのセグメント１４２Ａ及び１４２Ｂの一方（この場合、調整可能なタレット１１２の端部に支持された各セグメント１４２Ａ）は、タイミングプレート１４４を介して駆動軸に接続される（例えば、図３、図４、図１６及び図１７参照）。これらのタイミングプレート１４４は、タレット駆動軸１２０に対するそれらの角回動位置が、調整可能であって、その後、それらに取り付けられたタレットスターホイール１４２の２つのセグメント１４２Ａ及び１４２Ｂが、タレットスターホイール１４２とそれぞれの移送スターホイール１４０との間で、滑らかで、連続的で、不具合の無い缶の移送が行われるように、それらの両側の移送スターホイール１４０に対して位置決めされ／調節された状態に固定することができるように、それぞれのタレット駆動軸１２０に対して個々に調整することが可能である。一旦、所望の位置決め／調整の要求が達成されると、タイミングプレート１４４は適正な位置に固定され、タイミングプレート１４４を介して後に取り付けられる、如何なるスターホイールセグメントも、前の物と同じ位置に正確に配置でき、その結果、実施に非常に時間の掛かる再調整作業を行う必要性が全く無くなる。
【００７５】
当然、これには、各スターホイールの、穴を受ける各取付スタッドが、正確な位置に穴あけされる／形成されることが必要になる。しかしながら、一旦、それぞれのスターホイールが互いに同期するように全て調整されると、タイミングプレート１４４はこの調整を繰り返す必要性が取り除かれ、後に実施される、ある運転から他の運転へのどんな変更も、結果として容易になる。
【００７６】
上述の種類のタイミングプレート１４４は、各移送スターホイール１４０を移送駆動軸１３８の端部に取り付けるために使用される。しかしながら、この場合、２つのセグメント１４０Ａ及び１４０Ｂによって同様に形成される移送スターホイール１４０は、上記セグメントが互いに正確に接続されるように構成されるものである。各移送スターホイール１４０の第１、即ち基部セグメント１４０Ａがタイミングプレート１４４に取り付けられる一方で、第２の部分、即ちセグメント１４０Ｂは、第１の部分１４０Ａに固定される。これにより、適切な幅を有する第２セグメント１４０Ｂを、完成した移送スターホイール１４０の全体の幅が、これからネッキング加工を受ける缶の長さに応じて設定されるように、（それぞれが異なる幅を有する）複数の第２セグメントから選択することが可能となる。
【００７７】
上記構成は、第１移送スターホイール１４０´にも当てはまる。
【００７８】
第１移送スターホイール１４０´に関連して上述したように、移送スターホイール１４０は、吸引を用いて、缶を適切な位置に保持するように配置されている。しかしながら、上記２つの部分からなる種類の移送スターホイールによって長い缶を適正な位置に安定して保持するためには、移送スターホイールの幅の変更に応じて、各缶受取凹部の底部に形成された導管を長くすることが必要になる。この導管は、実際には、“タコの吸盤”と良く似た方法で動作する。
【００７９】
実施の形態において開示された移送スターホイールは、各移送スターホイール１４０´及び１４０の第１及び第２セグメント１４０Ａ及び１４０Ｂの双方に、導管の一部分１４０Ｃ１及び１４０Ｃ２を単に備えることによって、この要求を達成している。したがって、２つのセグメント１４０Ａ及び１４０Ｂが共に固定されると、導管の一部分１４０Ｃ１及び１４０Ｃ２が互いに一致して、細長い完全な導管が形成される。したがって、第１導管部分１４０Ｃ１のそれぞれに形成された真空ポート１４０Ｖｐを有すること、及び、適したマニホールド１４６を介してこれらの各ポートを、流体が流れるように真空源（陰空気圧）に接続することによって、第１導管部分１０４Ｃ１内に供給される真空が、第２部分１４０Ｃ２に直ちに伝えられ、吸引に晒される缶の表面積が、缶が移送スターホイールの回動軸の下方を通過する際に適正な位置に安定して保持される程度にまで増加される。
【００８０】
缶が短い場合、第２セグメント１４０Ｂは、導管の一部分１４０Ｃ１の端部を塞ぐ平板に近いものとなる。
【００８１】
図２１乃至図３０は、異なる寸法の缶に合わせて上記機械ラインを迅速に再設定するために、上述の機構に適用された缶供給装置及び缶排出装置の実施の形態の詳細を示している。缶供給装置１０４及び缶排出装置１４８を迅速に再設定するため、実施の形態で開示されるこれらの機構は、２つの半体で形成され、少なくとも一方の半体が他方に対して相対的に移動可能になるものである。この開示された実施の形態においては、上記半体は、３本の軸１０４Ａ、１４８Ａを介して、互いに相互に支持されるようなものである。缶供給装置１０４及び缶排出装置１４８の半体は、（例えば、）図２５及び図３０に示された分解図に描かれるように構成される。
【００８２】
これらの実施の形態を示す図から理解されるように、上記各軸の一端部は、フレームの半体に接続され、一方で、他端部は、半体に固定された分割カラーを通ってスライドするように構成される。上記カラーは、２つのハウジング半体のハウジング／機構上の部材に固定された一部分を有する分割カラー１０４ＳＰを備えている。上記カラーを解放することにより、２つのハウジング半体は、その間隔が機械ライン１０２に供給された／から排出された缶の長さに適するまで、軸１０４Ａ、１４８Ａに沿ってスライド可能になる。
分割カラーＳＰを単に再び締め付けることにより、缶供給機構及び缶排出機構は、缶をラインに供給したり排出したりするのに適切な状態に固定される。
【００８３】
実施の形態を可能にする更なる迅速な取り替えは、各ダイ及びノックアウトラム装置１１６のダイ１６１の交換を容易にするクランプ１６０にも存在する。この実施の形態において、ダイ及びノックアウトラム装置１１６は、ネジ山等を有しておらず、ダイ１６１が所定の位置にスライド可能に構成される。図３３乃至図３７は、動作位置においてダイをクランプすること及び解放することを容易にするクランプ１６０の実施の形態を描いている。好適な実施の形態においては、上記クランプは、例えばボルト１６４でダイブロック１２９に固定されたブラケット１６２を備えている。揺動部１６６は、ブラケット１６２の一端部で回転されるとともに、図３５に示されるように、隣接する２つのダイの所定の扇形（α）の外周に係合するように構成された一対の弓状の拘束面１６６Ａ及び１６６Ｂを備えている。各ダイは、その両側のクランプによって適所に保持されるため、適切な位置に適切に固定される。
【００８４】
揺動可能なクランプ１６０の実施の形態においては、揺動部１６６は、図３３及び図３７に示されるような位置まで、後方に反転される。これにより、取り外される／取り替えられるダイ１６１に適切にアクセスできる状態のまま、揺動部１６６が邪魔にならないように移動される。
【００８５】
図１から理解されるように、各タレットの頂部の限られた数のダイ１６１のみ、同時にアクセスすることができる。残りのダイは、缶を扱う移送ホイールが障害となって、アクセスすることができない。その結果、アクセス可能なダイ１６１を解除して取り外し、その後、より多くのダイ１６１をアクセス可能な位置まで回転させるため、加工機を揺り動かすことが必要になる。しかしながら、この揺り動かす間のタレットの回転により、クランプが重力にさらされる位置まで移動し、揺動部１６８が、回動軸に基本的に垂直に広がる位置まで外側に振れてしまう。これにより、クランプに、或いは後の揺動に応じてクランプが係合する機構に損傷が生じてしまう。
【００８６】
したがって、この回転中に、揺動部１６６を図３３及び図３７に示された位置に保持するため、戻り止め、即ち歯止め１６８（図３７参照）が、各クランプに備えられている。
【００８７】
説明の実施の形態において、揺動部１６６は、１つのボルト１７０によって、適切な位置にそれぞれ保持されている。これは、パワー工具を用いて、容易に締め付けられる／弛緩される位置に設置されている。しかしながら、揺動部が回転する性質であるため、ボルトが、ボルトを受けるネジ孔（図３７参照）に接近する際に、孔に対して角度を持って接近してしまい、孔の軸に対して平行にはならない。したがって、各クランプにおいてボルトを保持する孔は、ボルトの通常の回転に加え、揺動動作を許容するように構成される。即ち、ボルトは、揺動部が回転する際の軸に直交する平面に存在するある角度内を、揺動するように配置される。したがって、揺動部が拘束位置に向かって下方に移動される時、作業者は、ボルトを回転するために使用されるパワー工具を用いてボルトを係合し、孔と一直線になるようにボルトを容易に傾けて、適切な位置に迅速にボルトを締め付けることができる。
【００８８】
図３６はクランプの第２の実施の形態を示している。この実施の形態では、クランプ１６０´は、ボルト１７４によってブラケット１７２に固定され、ボルト１７４を取り外すことによってブラケット１７２から取り外すことができるクランプ部材１７０を有している。
【００８９】
図３８及び図３９は、ダイ及びノックアウトラム１１６をダイブロック１２９の適切な位置に保持するために使用されるクランプ装置１１６Ｃを示している。理解されるように、必要であれば、クランプ１１６Ｃとダイクランプアセンブリ１６０とを単に弛緩させて取り外すことだけで、ダイ及びノックアウトラムユニットの即時の取り外し／取り替えが可能となる。
【００９０】
再び図３及び図４に戻ると、可動タレット１１２が移動可能であるため、この発明の実施の形態では、取付ブロック（１２８）、即ち、押し板及びラム装置１１６（図３）並びに加工側ラム１１８（図４）に取り付けられた装置への潤滑油の供給を一定に維持するために、タレット駆動軸に沿って形成された同軸孔が、軸に形成されたポートに対して潤滑油を供給するようにしている。螺旋状チューブは、タレット駆動軸の周囲に配置され、ポートの一端に接続されている。螺旋状チューブの他端は、支持ブロックに取り付けられた装置に接続され、したがって、可動タレットが設定された位置に関係なく、潤滑油を一定に供給することが可能になる。
【００９１】
図５について言及すると、スピンフランジステージ１８０が示されており、押し板及びラム装置１１６が可動タレット１１２に支持され、スピンフランジ加工装置１８２が固定タレット１１４に支持されている。図１に示されているように、これが、説明された最終ステージだとすると、最終の移送スターホイールは、フランジ加工された缶を受け取り、それらを缶排出装置１４８に移送する。
【００９２】
限られた数の実施の形態のみ開示されているが、この開示されたものが装備された時に、クレームの対象が関係する、又は最も密接に関係する当業者によって成され得る様々な修正及び変更は、基本的に自明であり、この発明の範囲は、添付の特許請求の範囲によってのみ制限されるものである。
【図面の簡単な説明】
【００９３】
【図１】この発明の実施の形態において適用される一連のネッキング加工機の一例を示す概略正面図である。
【図２】この発明の一実施の形態において、タレットの一方が他方に対して位置変更可能なタレットモジュールを示す斜視図である。
【図３】この発明の一実施の形態における垂直断面図であり、位置変更可能なタレットが押し板及びラム装置を支持し、上記位置変更可能なタレットが、タレットモジュールの基部フレーム／シャーシに対して位置の変更が可能となるように、スライド可能に支持される方法の詳細が示されている。
【図４】図３に示されたものに類似する垂直断面図であるが、位置変更可能なタレットが、押し板及びラム装置の代わりに、ダイ及びノックアウトラム、若しくはそのような他の加工工具（例えば、リフォーム加工、リプロファイル加工工具等）を支持し、一方で、位置変更が可能ではないタレットが、押し板及びラム装置を支持するように配置されるように、この発明の一実施の形態は配置されている。
【図５】タレットの一実施の形態を示す垂直断面図であり、フランジ加工装置が固定、即ち位置変更できないタレットに支持され、押し板及びラム装置に装備された吸引が位置変更可能なタレットに支持されている。
【図６】この発明の一実施の形態の一部を形成するカム支持及びカム装置を示す斜視図である。
【図７】図６に示されたカム支持及びカム装置の平面図である。
【図８】図６及び図７に描かれた、この発明の一実施の形態におけるカム支持及びカム装置の底面を示す斜視図である。
【図９】図６に示されたカム支持の外側の面を示す端面図である。
【図１０】図６に示されたカム支持及びカム装置の側面図である。
【図１１】図６に示されたカムの内側の面を示す正面図である。
【図１２】次の断面図が得られるように描かれた、図１１に示されたものに似た側面図である。
【図１３】図１２に示された切断線に沿って得られた断面図である。
【図１４】図１２に示された切断線に沿って得られた断面図である。
【図１５】図１２に示された切断線に沿って得られた断面図である。
【図１６】機械ラインの先頭に設置され、供給装置から供給される缶を受け取る移送スターホイールの一実施の形態の構成及び配置を示す分解斜視図である。
【図１７】ネッキング形成のタレット間で缶を移送するために使用される移送スターホイールの一実施の形態の構成及び配置を示す分解斜視図である。
【図１８】図１７に示す移送スターホイールとそれらの上流に設置されるタレットスターホイールとの間の関係を示す斜視図である。
【図１９】図１８に描かれた装置の平面図である。
【図２０】図１８に描かれた装置の正面図である。
【図２１】この発明において使用される供給装置の一実施の形態を示す斜視図であり、比較的長い缶を受け入れ、送り込むように構成されたものを示している。
【図２２】この発明において使用される供給装置の一実施の形態を示す斜視図であり、比較的長い缶を受け入れ、送り込むように構成されたものを示している。
【図２３】比較的短い缶を受け入れ、送り込むように調整された、図２１及び図２２に示された供給装置を示す斜視図である。
【図２４】比較的短い缶を受け入れ、送り込むように調整された、図２１及び図２２に示された供給装置を示す斜視図である。
【図２５】図２１乃至図２４に示された装置の分解斜視図である。
【図２６】上記図面に描かれたもののような機構を用いてネッキング加工された缶を受け入れ、排出するために使用される缶排出装置の一実施の形態を示す分解斜視図である。
【図２７】上記図面に描かれたもののような機構を用いてネッキング加工された缶を受け入れ、排出するために使用される缶排出装置の一実施の形態を示す分解斜視図である。
【図２８】図２６及び図２７に示された実施の形態の排出装置を示す斜視図であり、図２６及び図２７に示された装置用の缶よりも短い缶を扱うように構成されている。
【図２９】図２６及び図２７に示された実施の形態の排出装置を示す斜視図であり、図２６及び図２７に示された装置用の缶よりも短い缶を扱うように構成されている。
【図３０】図２６乃至図２９に描かれた缶排出装置を示す分解斜視図である。
【図３１】位置変更可能なタレットの位置変更を容易にするために取り付けられた調整具の一実施の形態における配置を示す斜視図である。
【図３２】図３１に示された調整具の斜視図である。
【図３３】この発明の一実施の形態において使用される揺動可能なクランプ／ダイ装置の一実施の形態を示す斜視図であり、ダイを滑らせて新しいダイに取り替えることができる開放位置、即ちクランプしない位置まで後方に回転されたクランプを示している。
【図３４】拘束位置に固定された、揺動可能なクランプを描いた図３３に示された装置の正面図である。
【図３５】拘束位置に固定された揺動可能なクランプを示す正面図であり、クランプによって係合されたダイの部分を示している。
【図３６】クランプの第２の実施の形態を示す正面図であり、固定ボルトが弛緩された際に、完全に取り外すことが可能なように構成されている。
【図３７】図２において文字Ａによって示された円で囲まれた機構を示しており、図３５及び図３６に示された実施の形態におけるクランプの一部を形成するクランプの取付ブラケットの一例が、ダイブロックに固定される方法とともに、ダイ及びノックアウトラムユニットがダイブロックに固定される方法を描いている。
【図３８】ダイ及びノックアウトラムユニットがダイブロックに固定されるものによって、一実施の形態の詳細を示す平面図である。
【図３９】ダイ及びノックアウトラムユニットがダイブロックに固定されるものによって、一実施の形態の詳細を示す断面正面図である。
【図１】
2008520520.tif 000003
【図２】
2008520520.tif 000004
【図３】
2008520520.tif 000005
【図４】
2008520520.tif 000006
【図５】
2008520520.tif 000007
【図６】
2008520520.tif 000008
【図７】
2008520520.tif 000009
【図８】
2008520520.tif 000010
【図９】
2008520520.tif 000011
【図１０】
2008520520.tif 000012
【図１１】
2008520520.tif 000013
【図１２】
2008520520.tif 000014
【図１３】
2008520520.tif 000015
【図１４】
2008520520.tif 000016
【図１５】
2008520520.tif 000017
【図１６】
2008520520.tif 000018
【図１７】
2008520520.tif 000019
【図１８】
2008520520.tif 000020
【図１９】
2008520520.tif 000021
【図２０】
2008520520.tif 000022
【図２１】
2008520520.tif 000023
【図２２】
2008520520.tif 000024
【図２３】
2008520520.tif 000025
【図２４】
2008520520.tif 000026
【図２５】
2008520520.tif 000027
【図２６】
2008520520.tif 000028
【図２７】
2008520520.tif 000029
【図２８】
2008520520.tif 000030
【図２９】
2008520520.tif 000031
【図３０】
2008520520.tif 000032
【図３１】
2008520520.tif 000033
【図３２】
2008520520.tif 000034
【図３３】
2008520520.tif 000035
【図３４】
2008520520.tif 000036
【図３５】
2008520520.tif 000037
【図３６】
2008520520.tif 000038
【図３７】
2008520520.tif 000039
【図３８】
2008520520.tif 000040
【図３９】
2008520520.tif 000041
【国際調査報告】
2008520520.tif 000042
2008520520.tif 000043